(57)【要約】【課題】防臭効果の優れた排泄物処理材及び動物用トイレを提供する。  【解決手段】動物用トイレ１は、仕切板１０、及びその下部に設けられた容器２０を備えている。仕切板１０上には、動物の尿を吸収する排泄物処理材３０が複数敷設される。排泄物処理材３０は、コーヒー豆又はインスタントコーヒーの粉砕物を含有し、尿を吸収した時に崩壊する。仕切板１０には、孔部１２が形成されている。孔部１２は、尿を吸収して崩壊した排泄物処理材３０を通過させ、容器２０内に落下させる。【選択図】図１
2014018083.tif 000002
【特許請求の範囲】
【請求項１】
尿を吸収する排泄物処理材であって、
コーヒー豆又はインスタントコーヒーの粉砕物を含有し、前記尿を吸収した時に崩壊することを特徴とする排泄物処理材。
【請求項２】
請求項１に記載の排泄物処理材において、
前記粉砕物の粒度は、１ｍｍ未満である排泄物処理材。
【請求項３】
請求項１又は２に記載の排泄物処理材において、
当該排泄物処理材における前記粉砕物の含有率は、９０重量％以上である排泄物処理材。
【請求項４】
請求項１乃至３の何れかに記載の排泄物処理材において、
前記粉砕物と共に、水溶性又は水解性の材料を含有している排泄物処理材。
【請求項５】
請求項４に記載の排泄物処理材において、
当該排泄物処理材における前記材料の含有率は、１０重量％以下である排泄物処理材。
【請求項６】
請求項４又は５に記載の排泄物処理材において、
前記材料は、澱粉類、ＣＭＣ、ＰＶＡ又は吸水性ポリマーである排泄物処理材。
【請求項７】
請求項１乃至６の何れかに記載の排泄物処理材が複数敷設される仕切板と、
前記仕切板の下部に設けられた容器と、を備え、
前記仕切板は、前記尿を吸収して崩壊した前記排泄物処理材を通過させ、前記容器内に落下させる孔部を有することを特徴とする動物用トイレ。
【発明の詳細な説明】
【技術分野】
【０００１】
本発明は、排泄物処理材及びそれを用いた動物用トイレに関する。
【背景技術】
【０００２】
従来の動物用トイレとしては、例えば特許文献１に記載されたものがある。同文献に記載の動物用トイレにおいては、トイレ本体が簀子により上下に区画されており、上層部分に排泄物処理材が敷設されるとともに、下層部分にトレーが設けられている。上層部分に敷設された排泄物処理材は、吸水した時に崩壊するように構成されている。この動物用トイレにおいては、動物が排尿した際、排泄物処理材が尿を吸収して崩壊する。崩壊した排泄物処理材は、簀子を通過してトレー内に落下する。
【特許文献１】特開２００８−２５３１５６号公報
【発明の概要】
【発明が解決しようとする課題】
【０００３】
かかる構成の動物用トイレによれば、使用済みの排泄物処理材、すなわち尿を吸収した排泄物処理材が簀子の上に残留するのを防ぎ、それにより、悪臭がトイレの外部に放出されるのをある程度抑制することができる。しかしながら、トレー内に落下した使用済みの排泄物処理材からも悪臭が放たれるため、従来の動物用トイレは、防臭効果が不充分であるという問題があった。
【０００４】
本発明は、上記課題に鑑みてなされたものであり、防臭効果の優れた排泄物処理材及び動物用トイレを提供することを目的とする。
【課題を解決するための手段】
【０００５】
本発明による排泄物処理材は、尿を吸収する排泄物処理材であって、コーヒー豆又はインスタントコーヒーの粉砕物を含有し、上記尿を吸収した時に崩壊することを特徴とする。
【０００６】
また、本発明による動物用トイレは、上記排泄物処理材が複数敷設される仕切板と、上記仕切板の下部に設けられた容器と、を備え、上記仕切板は、上記尿を吸収して崩壊した上記排泄物処理材を通過させ、上記容器内に落下させる孔部を有することを特徴とする。
【０００７】
この動物用トイレにおいては、尿を吸収して崩壊する排泄物処理材が仕切板上に敷設されるともに、仕切板には、崩壊した排泄物処理材を通過させて容器内に落下させる孔部が設けられている。このため、使用時、尿を吸収した排泄物処理材は、崩壊して、仕切板の孔部を通過する。孔部を通過した排泄物処理材は、容器内に落下する。さらに、排泄物処理材は、コーヒー豆又はインスタントコーヒーの粉砕物を含有している。このため、コーヒー豆又はインスタントコーヒーの強力な消臭・脱臭効果により、容器内に落下した使用済みの排泄物処理材からの悪臭の放出を効果的に抑制することができる。したがって、優れた防臭効果が得られる。
【０００８】
上記粉砕物の粒度は、１ｍｍ未満であることが好ましい。この場合、尿の吸収時に崩壊し易い排泄物処理材を実現することができる。
【０００９】
上記排泄物処理材における上記粉砕物の含有率は、９０重量％以上であることが好ましい。この場合、コーヒー豆又はインスタントコーヒーの含有率が高くなるため、特に優れた防臭効果を得ることができる。
【００１０】
上記排泄物処理材は、上記粉砕物と共に、水溶性又は水解性の材料を含有していてもよい。この場合、使用時に排泄物処理材が崩壊するのを妨げることなく、排泄物処理材に様々な機能をもたせることができる。
【００１１】
上記排泄物処理材における上記材料の含有率は、１０重量％以下であることが好ましい。この場合、コーヒー豆又はインスタントコーヒーの含有率を高くすることが可能なため、特に優れた防臭効果を得ることができる。
【００１２】
上記材料は、澱粉類、ＣＭＣ、ＰＶＡ又は吸水性ポリマーであってもよい。これらの材料は、充分な水溶性又は水解性を有するので、使用時に排泄物処理材が崩壊するのを妨げないという点で好ましい。
【発明の効果】
【００１３】
本発明によれば、防臭効果の優れた排泄物処理材及び動物用トイレが実現される。
【図面の簡単な説明】
【００１４】
【図１】本発明による排泄物処理材及び動物用トイレの一実施形態を示す断面図である。
【図２】図１の動物用トイレにおける仕切板の平面図である。
【図３】図１の排泄物処理材及び動物用トイレの作用効果を説明するための断面図である。
【図４】本発明による動物用トイレにおける仕切板の変形例を示す平面図である。
【図５】図４の仕切板のＶ−Ｖ断面を示す断面図である。
【発明を実施するための形態】
【００１５】
以下、図面を参照しつつ、本発明による排泄物処理材及び動物用トイレの実施形態について詳細に説明する。なお、図面の説明においては、同一要素には同一符号を付し、重複する説明を省略する。
【００１６】
図１は、本発明による排泄物処理材及び動物用トイレの一実施形態を示す断面図である。動物用トイレ１は、猫や犬等の動物が排泄時に用いるトイレであって、仕切板１０、及び容器２０を備えている。
【００１７】
仕切板１０上には、動物の尿を吸収する排泄物処理材３０が複数敷設される。同図においては、多数の排泄物処理材３０が仕切板１０上に敷設された状態を示している。排泄物処理材３０は、コーヒー豆（抽出前のもの）の粉砕物、又はインスタントコーヒーの粉砕物を含有する粒状物である。インスタントコーヒーとしては、賞味期限切れのものを用いることが好ましい。粉砕物の粒度は、１ｍｍ未満であることが好ましい。この排泄物処理材３０は、尿を吸収した時に崩壊するように構成されている。
【００１８】
本実施形態において排泄物処理材３０は、上記粉砕物と共に、水溶性又は水解性の材料をも含有している。かかる材料としては、例えば、澱粉類、ＣＭＣ（カルボキシメチルセルロース）、ＰＶＡ（ポリビニルアルコール）又は吸水性ポリマーを用いることができる。澱粉類としては、例えば、馬鈴薯澱粉、小麦澱粉、甘藷澱粉、コーンスターチ、タピオカ澱粉、米澱粉若しくはデキストリン、又はこれらをα化したものが挙げられる。排泄物処理材３０における上記粉砕物の含有率は、好ましくは９０重量％以上、より好ましくは９５重量％以上である。また、排泄物処理材３０における上記材料の含有率は、好ましくは１０重量％以下、より好ましくは５重量％以下である。
【００１９】
仕切板１０には、孔部１２が形成されている。孔部１２は、使用済みの排泄物処理材３０、すなわち尿を吸収して崩壊した排泄物処理材３０を通過させ、容器２０内に落下させる。すなわち、孔部１２は、使用前の排泄物処理材３０を通過させず、かつ使用済みの排泄物処理材３０を通過させるような大きさ・形状に形成されている。仕切板１０の上面（排泄物処理材３０が載置される面）は、使用済みの排泄物処理材３０を孔部１２に導くように、孔部１２に向かって下方に傾斜している。
【００２０】
図２は、仕切板１０の平面図である。同図に示すように、本実施形態において孔部１２は、平面視で矩形状をしており、仕切板１０の中央部に１つだけ設けられている。同図のＩＡ−ＩＡ断面、又はＩＢ−ＩＢ断面が、図１に示した仕切板１０の断面に相当する。
【００２１】
図１に戻って、仕切板１０の孔部１２の下部には、容器２０が設置されている。容器２０は、孔部１２から落下した使用済みの排泄物処理材３０を収容する。この容器２０は、動物用トイレ１から着脱可能に設けられている。
【００２２】
図３を参照しつつ、排泄物処理材３０及び動物用トイレ１の作用効果を説明する。動物用トイレ１においては、尿を吸収して崩壊する排泄物処理材３０が仕切板１０上に敷設されるともに、仕切板１０には、崩壊した排泄物処理材３０を通過させて容器２０内に落下させる孔部１２が設けられている。このため、使用時、尿を吸収した排泄物処理材３０は、図３に示すように、崩壊して、仕切板１０の孔部１２を通過する。孔部１２を通過した排泄物処理材３０は、容器２０内に落下する。さらに、排泄物処理材３０は、コーヒー豆又はインスタントコーヒーの粉砕物を含有している。このため、コーヒー豆又はインスタントコーヒーの強力な消臭・脱臭効果により、容器２０内に落下した使用済みの排泄物処理材３０からの悪臭（尿の臭い）の放出を効果的に抑制することができる。したがって、防臭効果の優れた排泄物処理材３０及び動物用トイレ１が実現されている。
【００２３】
また、本実施形態の仕切板１０には、孔部１２が１つしか存在しない。しかも、その孔部１２は、使用前の排泄物処理材３０を通過させない程度の大きさである。それゆえ、容器２０に落下した使用済みの排泄物処理材３０において悪臭を完全に消臭・脱臭し切れなかったとしても、残った悪臭が孔部１２を通じて動物用トイレ１の外部に放出されにくい構造となっている。
【００２４】
排泄物処理材３０に含有される上記粉砕物の粒度を１ｍｍ未満とした場合、尿の吸収時に崩壊し易い排泄物処理材３０を実現することができる。
【００２５】
排泄物処理材３０における上記粉砕物の含有率を９０重量％以上とした場合、コーヒー豆又はインスタントコーヒーの含有率が高くなるため、特に優れた防臭効果を得ることができる。
【００２６】
本実施形態において排泄物処理材３０は、上記粉砕物と共に、水溶性又は水解性の材料を含有している。このため、使用時に排泄物処理材３０が崩壊するのを妨げることなく、排泄物処理材３０に様々な機能をもたせることができる。
【００２７】
排泄物処理材３０における上記材料の含有率を１０重量％以下とした場合、コーヒー豆又はインスタントコーヒーの含有率を高くすることが可能なため、特に優れた防臭効果を得ることができる。
【００２８】
上記材料として、澱粉類、ＣＭＣ、ＰＶＡ又は吸水性ポリマーを用いた場合、これらの材料は、充分な水溶性又は水解性を有するので、使用時に排泄物処理材が崩壊するのを妨げないという点で好ましい。
【００２９】
排泄物処理材３０は、例えば、次の方法により製造することができる。すなわち、この製造方法は、成形工程、分粒工程、及び乾燥工程を含んでいる。
【００３０】
成形工程においては、コーヒー豆又はインスタントコーヒーを破砕機で所定の大きさに粉砕し、当該粉砕物と、水溶性又は水解性の材料とを所定の割合でミキサーに投入して混ぜ合わせる。そして、加水した後、当該混合物をエクストルーダその他の押出成形機によって押出成形することにより、排泄物処理材を形成する。
【００３１】
分粒工程においては、所定の寸法の篩目を有する篩に、前工程で製造された排泄物処理材を通過させることにより、所定の規格を満たす排泄物処理材のみを抽出する。
【００３２】
乾燥工程においては、前工程で抽出された排泄物処理材を乾燥機で乾燥させる。排泄物処理材３０の含水率が高過ぎると、その保存時にカビ等が生じる原因となる。排泄物処理材３０を乾燥させ、その含水率を適宜調整することにより、カビ等の発生を防ぐことができる。
【００３３】
本発明による排泄物処理材及び動物用トイレは、上記実施形態に限定されるものではなく、様々な変形が可能である。例えば、上記実施形態においては、平面視で矩形の孔部１２を示した。しかし、孔部１２は、平面視で円形であってもよい。また、上記実施形態においては、仕切板１０に孔部１２が１つだけ設けられた例を示した。しかし、図４及び図５に示すように、仕切板１０には複数の孔部１２が設けられていてもよい。なお、図５は、図４の仕切板１０のＶ−Ｖ断面を示す断面図である。
【符号の説明】
【００３４】
１  動物用トイレ
１０  仕切板
１２  孔部
２０  容器
３０  排泄物処理材
【図１】
2014018083.tif 000003
【図２】
2014018083.tif 000004
【図３】
2014018083.tif 000005
【図４】
2014018083.tif 000006
【図５】
2014018083.tif 000007